(57)【要約】【課題】  冬場においても木質のテーブルと比較して表面に触れた触感に違和感が無く、多品種への対応をコストを上げること無く実現可能な熱源を備えたカウンターを提供すること。【解決手段】  人造石パネル３の背面に補強用の裏桟４を設けた天板２を有するカウンター１である。裏桟４を金属製の中空材４１にて形成する。この中空材４１内部に熱源５を配設する。これにより、人造石パネル３による天板２表面が暖められるものとなり、多品種への対応をコストを上げること無く実現可能となる。【選択図】図１
2006129888.tif 000002
【特許請求の範囲】
【請求項１】
人造石パネルの背面に補強用の裏桟を設けた天板を有するカウンターであって、前記裏桟を金属製の中空材にて形成し、同中空材内部に熱源を配設したことを特徴とするカウンター。
【請求項２】
前記天板は支持脚を有し、同支持脚の下端が床面に固着されて成ることを特徴とする請求項１に記載のカウンター。
【請求項３】
前記人造石パネルと前記中空材との間に、同中空材と交差するよう金属製の均熱化シートを介装したことを特徴とする請求項１または請求項２いずれかに記載のカウンター。
【発明の詳細な説明】
【技術分野】
【０００１】
本発明は人造石パネルの背面に補強用の裏桟を設けた天板を有するカウンターに関する。
【背景技術】
【０００２】
従来から、システムキッチンのカウンターに、人造大理石と呼ばれている、アクリル系樹脂等の樹脂板にて形成された人造石パネルを用いることがおこなわれている。この種のカウンターでは、８ｍｍ程度の厚さをもった人造石パネル１０２の質感を高めるため、同人造石パネル１０２の背面に、合板あるいはパーチクルボードにて形成された、複数の補強用の裏桟１０３、１０４を交差するように設け、さらにこの裏桟１０３、１０４全体を覆うよう、当該人造石パネル１０２の裏面側に１２ｍｍ程度の化粧合板１０５を帖着させて、全体で４０ｍｍ程度の厚さをもったカウンターパネル１０１としている。（図４参照）
また、室内空間のデザイン性向上のため、最近、室内に設置する家具等の部材の質感統一化と重厚感とを満たすことが室内デザインの一つの重要な方向性となっている。 この目的で、上記カウンターパネル１０１を応用した、図５に示すような、下端が床面に固着された支持脚１０６、１０６を有して成るテーブル形態のカウンター１００も提案されている。
【０００３】
ところで、人造石の質感をもったカウンターパネル１０１は、冬場において表面に触った場合に冷たい触感を実際に使用者に与え、テーブル形態のカウンターとしたときに、木質のテーブルと比較して違和感を与えることが懸念されている。また、テーブル形態のカウンター１００においては、当該カウンター１００が床暖房の設けられた床面Ｆに設置されその床暖房の温まったときに、床面Ｆに固着された支持脚１０６、１０６下端とカウンターパネル１０１側の上端との間において水平方向に相対的な寸法差が生ずることとなる。そのため、支持脚１０６の固着部分にせん断応力が加わることも懸念されている。例えば１８００ｍｍ程度の長さをもったカウンターパネル１０１と床面Ｆとの温度差が３０度程度有った場合、全体で約２ｍｍ程度の寸法差発生が想定されるからである。
【０００４】
そこで、例えば、特開平１１−２５７６７３号公報には、図６に示すように、熱源２０１を人造石パネル２００の内部に設けて、均熱板２０２とともにモールドした床暖房パネルの技術の応用を検討した。
【０００５】
この技術は、石材の中に均熱板２０２を入れる構成としているので、パネル材表面の温度分布が、高い所と低い所の温度差が生じることなく、熱源の間隔を狭くしたり、その熱源の周囲及びパネル材との間にアルミ板やアルミテープを挿入することなく、石材の温度むらの少ない人造石パネルの表面温度が均一化されるとともに、床暖房パネルの構造の簡素化、薄形化が図れる点において一応の効果を奏している。
【０００６】
しかしながら、人造石パネル２００の中に均熱板２０２としてのアルミ発泡材を入れて人造石パネル２００と一体にモールド成型することは、逆に製作の手間や寸法の異なる多品種へのの点において新たにコスト上昇が懸念される。したがって、テーブル形態のカウンターへの適応を考えてみると、各種表面デザインや、長さ等の形態の異なる構成への対応のために、コストが上昇するという問題が想定される。
【特許文献１】特開平１１−２５７６７３号公報
【発明の開示】
【発明が解決しようとする課題】
【０００７】
本願発明は、上記背景技術に鑑みてなされたものであり、その課題は、冬場においても木質のテーブルと比較して表面に触れた触感に違和感が無く、多品種への対応をコストを上げること無く実現可能な熱源を備えたカウンターを提供することである。
【課題を解決するための手段】
【０００８】
上記課題を解決するために、本願発明によるカウンターは、人造石パネルの背面に補強用の裏桟を設けた天板を有するカウンターという構成に対し、前記裏桟を金属製の中空材にて形成し、同中空材内部に熱源を配設したことを特徴としている。
【０００９】
そして、前記天板は支持脚を有し、同支持脚の下端が床面に固着されて成るのが好ましい。
【００１０】
また、前記人造石パネルと前記中空材との間に、同中空材と交差するよう金属製の均熱化シートを介装することが好ましい。
【発明の効果】
【００１１】
本願発明のカウンターは、人造石パネル背面の、金属製中空材にて形成された補強用の中空材内部に設けられた熱源にて、該人造石パネルによる天板表面が暖められるものとなり、以って、冬場においても木質のテーブルと比較して表面に触れた触感に違和感が無く、多品種への対応をコストを上げること無く実現の可能な、熱源を備えたカウンターが得られる。
【００１２】
そして、下端が床面に固着された支持脚にて天板の支持される構成において当該天板が暖められることとなるので、床暖房の設けられた床面にカウンターが設置され、その床暖房の温まったときに、床面に固着された支持脚下端と天板側の上端との間において水平方向に相対的な寸法差が軽減されるものとなり、支持脚の固着部分へのせん断応力を低下させるという役目を果たす。
【００１３】
また、人造石パネルと前記中空材との間に、同中空材と交差するよう金属製の均熱化シートを介装した結果として、少ない熱源を用いて人造石パネルによる天板表面全体を暖めることが可能となり、表面に触れた触感の違和感をより無くすことができる。
【発明を実施するための最良の形態】
【００１４】
図１〜３は、本願の請求項１乃至請求項３に対応した一実施形態であるカウンターを示している。この実施形態のカウンター１は、人造石パネル３の背面に補強用の裏桟４を設けた天板２を有するカウンターであって、前記裏桟４を金属製の中空材４１にて形成し、同中空材４１内部に熱源５を配設している。
【００１５】
この場合、前記天板２は支持脚（図示せず）を有し、同支持脚の下端が床面に固着されてもいる。また、前記人造石パネル３と前記中空材４１との間に、同中空材４１と交差するよう金属製の均熱化シート６を介装してもいる。
【００１６】
詳しくは、このカウンター１は、長方形状の天板２において、両端に背景技術の項にて述べた図５に示したテーブル形態のカウンターにおいて、例えば板状の支持脚（図示せず）を有するもので、当該支持脚が床面に固着されて使用される。
【００１７】
天板２は、厚さ８ｍｍ程度の人造石パネル３の背面に、図１に示すように、厚さ０．５〜１ｍｍ程度のシート状のアルミニュウム材にて形成された均熱化シート６が帖着され、さらに図２に示すように、当該均熱化シート６表面に天板２の長手方向の全長に亘り、裏桟４の一部となる中空材４１、４１が略中心位置に２本平行となるよう離間し配設されている。この中空材４１は、３０ｍｍ×６０ｍｍの外形をもった、約２ｍｍ程度の厚さのアルミニュウムによる中空角状パイプで、均熱化シート６に密着させ固着されている。
【００１８】
背景技術の項において述べたものと同じく、この人造石パネル３の背面には、上記の中空材４１以外の箇所に、補強用の合板あるいはパーチクルボードにて形成された複数の裏桟をその周囲及び内側に交差するように設け、さらにこの中空材４１裏面を露出し且つ裏桟全体を覆うよう裏面側に１２ｍｍ程度の化粧合板を帖着させて、全体で４０ｍｍ程度の厚さをもった天板２（カウンターパネル）としている。
【００１９】
熱源５は、この場合板状ヒータにて形成され、図１に示すような、ヒータ線５１周囲に絶縁体５２の被覆されたジーゲルヒータと呼ばれるものや、被加熱物となる上記中空材４１の表面を広い範囲において加熱可能な、スペースヒータと呼ばれる、２枚のマイカ薄板の中間に絶縁板にヒータ線を巻回させて成る発熱体を介在させ、同マイカ薄板の周囲に外装板を配設した長尺板状ヒータなどにて形成することができる。この熱源５には、一端に設けられた外部端子を介して、図２に示すように、温度調節器Ｃを経てＡＣ１００Ｖ又はＡＣ２００Ｖの商用電源が印加されるが、当該温度調節器Ｃには、熱源５に併設される温度センサからの検知温度情報が入力され、これにより、天板２表面の温度が２５℃程度となるよう、熱源５周囲の温度条件が調節される。
【００２０】
本形態のカウンター１の天板２は、人造石パネル３背面には、図２に示すように、上記中空材４１以外に、合板あるいはパーチクルボードにて形成された複数の補強用の裏桟４を、周囲と、均熱化シート６と平行で且つ中空材４１を交差するよう内側とに設けてある。したがって、内部に熱源５の配設された中空材４１、４１が２本のみを配設させた状態においても、人造石パネルの重厚感のある質感が維持されることとなる。
【００２１】
上記構成の天板２によるカウンター１は、人造石パネル３背面の、金属製中空材４１にて形成された補強用の中空材４１内部に設けられた熱源５にて、該人造石パネル３による天板２表面が暖められるものとなる。すなわち、人造石パネル３の熱伝導係数は約１（Ｗ／ｍ・Ｋ）であり、アルミニウム製の中空材４１及び均熱化シート６の熱伝導係数は３〜６（Ｗ／ｍ・Ｋ）で、一般の木質材料の熱伝導係数は約０．００１〜０．０１（Ｗ／ｍ・Ｋ）と比較して十分大きいものであり、これにより、冬場においても木質のテーブルと比較して表面に触れた触感に違和感が解消されるのである。
【００２２】
また、下端が床面に固着された支持脚にて天板２の支持される構成においては、天板２表面の温度が２５℃程度となるよう暖められることとなるので、床暖房の設けられた床面にカウンター１が設置され、その床暖房の温まったときに、床面に固着された支持脚下端と天板２側の上端との間において水平方向に相対的な寸法差が軽減されるものとなる。
【００２３】
さらに、人造石パネル３と中空材４１との間に、中空材４１と交差するよう金属製の均熱化シート６を介装した結果として、少ない熱源５を用いて人造石パネル３による天板２表面全体を暖めることが可能となる。従って、表面に触れた触感の違和感をより無くすことができるという利点も得られる。
【００２４】
なお、本構成においては、勿論、均熱化シート６を用いることなく、図３に示すように裏桟４を中空材４１としても良く、さらに、伝熱を兼ねた金属製の補強材としてもよい。
【００２５】
したがって、以上説明したカウンター１によると、人造石パネル３背面の、金属製中空材４１にて形成された補強用の中空材４１内部に設けられた熱源５にて、人造石パネル３による天板２表面が暖められるものとなり、以って、冬場においても木質のテーブルと比較して表面に触れた触感に違和感が無く、多品種への対応をコストを上げること無く実現の可能な、熱源を備えたカウンターが得られる。
【００２６】
そして、下端が床面に固着された支持脚にて天板２の支持される構成において天板２が暖められることとなるので、床暖房の設けられた床面にカウンターが設置され、その床暖房の温まったときに、床面に固着された支持脚下端と天板２側の上端との間において水平方向に相対的な寸法差が軽減されるものとなるから、支持脚の固着部分へのせん断応力を低下させるという利点／効果がある。
【００２７】
また、少ない熱源を用いて人造石パネルによる天板表面全体を暖めることが可能となるから、表面に触れた触感の違和感をより無くすことができる利点／効果がある。
【図面の簡単な説明】
【００２８】
【図１】本願発明の一実施形態であるカウンターの、天板の概略構成図。
【図２】同カウンターの天板の、背面の構成を示す説明図。
【図３】本願発明のカウンターの、別の実施例における天板の背面の構成を示す説明図。
【図４】従来の天板の概略構成を示す説明図。
【図５】同天板を用いたカウンターの説明図。
【図６】従来例の人造石パネル全体を示す概略構成図。
【符号の説明】
【００２９】
１      カウンター
２      天板
３      人造石パネル
４      裏桟
４１      中空材
５      熱源
６      均熱化シート
【図１】
2006129888.tif 000003
【図２】
2006129888.tif 000004
【図３】
2006129888.tif 000005
【図４】
2006129888.tif 000006
【図５】
2006129888.tif 000007
【図６】
2006129888.tif 000008